(57)【要約】      （修正有）【課題】水中に没することがなく、意識を失っていても口鼻部を上に向け、浮いて救助を待つことのできる救命胴衣を提供する。【解決手段】救命胴衣１を簡素化し、丈夫な素材品で作り、道路交通員の必ず身に付けている反射付オレンヂ色の保護衣の様に之を仕立て上げて作り、そこにペットボトル５の小さい物を常設出来るポケット３を多く取り付ける。また水没時、浮力によって外れる発信灯６や、ファスナーポケット付きリストバンド１８を備えることもできる。【選択図】図１
2010260526.tif 000002
【特許請求の範囲】
【請求項１】
引き出し型ポケットの内側に、空ペットボトルを装着できる布着袋を縫い（取り）付けた本図に見られる様な救命胴衣（アカラー１号、Ｔ．７８０）を発明する請求。
【請求項２】
本発明、救命胴衣（アカラー１号、Ｔ．７８０）の肩部に、水没時、浮力によって外れ、発信する発信灯（アカラー２号、Ｔ．７８１）を発明する請求。
【請求項３】
人体、水没時に腕（肘）部を浮かせる目的を持つ、浮き袋を入れる目的を持つファスナー、ポケット付リストバンド、Ｔ．７８２）を発明し、
【請求項４】
上記述、同意議の元、同内容構造を持たせ、腰部浮力を生じさせる事の出来る救命バンド（アカラー３号、Ｔ．７８３）を発明する請求。
【請求項５】
上記述、同意議の元、同内容構造を持たせ、脚部に取り付ける、脚部取り付けバンド（アカラー４号、Ｔ．７８４）を発明する請求。
【発明の詳細な説明】
【技術分野】
【０００１】  近年漁船の沈没、遭難事故（事件）が相次いで目立って、起っていた。人命救助に向う巡視艇、ヘリコプター出動費で、大概３千万円程、かかるが、その上、海上レジャーボートの転腹、釣り人の遭難から、サーフボーダーの遭難……等々と、数えれば切りが無いものの、遭難者が海の青色と反対色にある、オレンヂ色にある救命胴衣を必ず着ていてくれれば、何日もの日数をかけて、捜索しなくとも、短時間で救命、救出出来るたが、現在の技術にあって、市場にある救命胴衣は、大変に使い勝って、着こなしが悪く、緊急使用時に破捐する物もあった時、荷にもならず、すぐに使用できる所の、【０００２】  チョッキ型にして、本発明される救命胴衣他バンド等にファスナー付ポケットを之に多く付け、ポケットの中に足で踏み付けても壊れない、どこにでもある、ペットボトルの空容器を入れて使用してみた所、いかなる状態にあっても、人体は水上に浮き続ける物となった際、１０Ｍの高所飛び込み実験にも耐える、大変に使用、使い勝手の良い救命胴意を作る技術力が生じた。
【背景技術】
【０００３】●アベルレコード（Ｔ．０）●霊界カメラ（Ｔ．２０）●カップルハクマ（Ｔ．６６０）●カンパ（Ｔ．７７５）
【発明の開示】
【発明が解決しようとする課題】
【０００４】  小学生の頃、１００Ｍを泳ぎ切り、中学生の頃、１０００Ｍを泳ぎ、水泳術は、トップ記録となり、次はオリンピックを目指したが、チャンスが無く、死ぬ迄にいくつ世界一を達成できるか！未だ諦めてはいなかった。その間、水泳記録マシーン（オルカ、Ｔ．７８５）さへ、研究開発していた。――水泳には、その様にある種の自身があった。【０００５】  ところが学校授業では、人動物は、どうやって溺れるかに付いては、とんと、教えてはくれなかった。本件課題が生じた。
筆者は、その後、何度も溺れながら、溺れの原理を本に読み、自ずと修得していった。現代医学書の説明は誤りであった。
【発明を解決する手段】
【０００６】  父親に手を引かれ、競馬を見に行った事があった。――之程迄に走る馬（の体形）は、流線形にあって美しいものであり、怒濤逆巻くゴールで、一歩足らず、負け馬となった馬はヒィヒィ泣いていた。――テオリーくんも水泳に負けた時、悔しくて泣いていたが、プールの水が之を隠していた。――馬も泣いているのが分った。
【０００７】  余談だが、親に見離れた牛の泣く素形、アヒルの赤ちゃんが大泣の涙を溢す所、猫、犬のコドモの泣く所も見た事があった。
【０００８】  人動物（植物を含む）は、全て、この世に使命を持って生まれ付いているのであり、稼動する、使命を果している時の（体形）素形は、実に美しく、――ここに溺れて死の世界へ沈んでゆく（運命）者のある時には、どうする事も出来ず、ある一線を越えると、そこには、死の世界があり、諦めを以って、それは、大変冷酷でもあった。（Ｔ．０、アベルレコード。Ｔ．２０、霊界カメラ参照）
【０００９】  読者は、人動物の溺れる所を見た事があったであろうか？――人動物体の９７％は水分で出来ている物であったが、唯一、人動生物体が水に浮く事の出来る状件は、肺に空気が入っている事が必須条件であり、海上等での遭難は、プール等で発生する事故等とのそれとは、明かに違っており、――かのヨットで有名な○○氏でさへ、ヨットに腰かけていて、５〜６分間人々が目を、離している間に行方不明となっていた。
【００１０】  人は、水泳中、水を飲むと、水が肺に入り込まない様、呼吸中枢がマヒし、息が出来ないものとなるが、間違えて、一端、肺の中に水を吸い込むと、呼吸中枢はマヒせず、水中で、肺や胃の中に、水が一杯になる迄、呼吸運動をする際、大概の人々は、意識の無い儘、海底等の奥底深く迄、浮上出来なくなり、その儘、沈み続け、捜索を難しいものにさへした。（解賠学編より）――水難者は、必ず浮かせておけば、早期救命救助はし易く、蘇生率も大変高くなった。――それ故、人は水難時、どの様に水を吸い込んでも、
【発明の効果】
【００１１】  本発明図に見られる様に２００ｍｍｌ入り、ペットボトル容器を最低２本頸部に付帯させておけば、絶対に水中に没する事な無いものとなり、意識を失っていても、口鼻部を上に向け、海上に浮いていれば、生理整体作用が起こり、水を吐き出し、救助を待つ事が出来るものとなった。
【発明を実施する最良の形態】
【００１２】  筆者は実際に海上での仕事をやった事があり、海中で溺れがかった事も何度もあった。海上作業をする際、第二次世界大戦以来、発明され軍隊に用いられて来た、あの完壁にして、完成無欠のオレンヂ色で作られた、誰しもが一度はお目にかかる救命胴衣を着込んだ日には、ゴロゴロして、稼動しにくく、第一に、真夏の炎天下に晒された日には、作業をするどころの騒ぎではなく、漁師を含む、大概の人々は、船上に必ず、この救命胴衣は装備してはいるものの、必ずしも装着して作業をしないでいる時、突発事故が起っていた。――それ故、
【００１３】  この軍隊で開発され、夏暑く、ゴロゴロして、作業時どうしても邪馬になる、救命胴衣から簡易に改良され、簡素化された物も市場に多くある物を身に付けて、海上作業をしていたある日の事であった。クレーンの綱が切れて、等者は、２０Ｍ程も外き飛ばされていた事があった。時速６０ｋｍだったと思われた。その儘海中に叩き付けられた時、救命胴衣の空気袋は、玩具の様に破壊して破れ、７Ｍは海中に没っしたと思われた。鼻から水が入いるといけないと思い、肺の中の空気を全て吐き出したのがいけなかった。海面は遙か頭上に見えるものの、肺の空気は空になっており、水上を目指して泳いだが、力尽きて、水中で呼吸したと思った時、海上に顔が出ており、一命を取り止めていた。
事故の恐しさを知らないバカ者が、この救命胴衣を設計したのだろうと思ったが、便利さ、だけを考えた物にあって、會て、人命救助の仕事をした時、これと同じ、オレンヂ色の破れた救命胴衣が海上に浮いているのを見た事があった。
救命胴衣は、機動性があり、常に身体に付け易く、事故発生時、決っして破捐してはいけない物であった。
【図面の簡単な説明】
【００１４】  本発明品は、遭難時の対策グッズであったが、人の遭難時にいずれも発見し易い色の種類は、今現在、お巡りさんや、道路交通整理の人々が必ず着衣している、あの反射付の保護衣を赤味がかったオレンヂ色にして、丈夫、な素材品で作り、発見灯、呼子を必ず装備させる、この保護衣に、多くの引き出しポケットを付けた事を示す図。
【符号の説明】
【００１５】１、現在、道路整理人が必ず、身に付けている反射付保護衣を丈夫な粗材品で作った物を表わし、２、山、川、海等のいずれの場所で、人が遭難しても、オレンヂ色は、発見し易く、今迄に無かった技術において、之に反射を施こした事を表わし、３、之保護衣（アカラー、Ｔ．７８０）の所定の位置に、ファスナー付ポケットを付け、４、このポケットの内側には、更に（引き出し型の）巾着袋を頑丈にして、縫い付けて置き、５、海上作業をする際には、お茶等の入って、空になった（２００ｍｍｌが理想）ペットボトルの蓋をしっかり閉じて、之巾着袋に入れて使用した場合、強尽な本発明される救命銅衣（アカラー１号、Ｔ．７８０）となる物となり、中に少し水を入れておくと、登山においても非常飲料水になる物であった。（巷に、水道水を１００℃で沸騰させ、一気に４℃迄冷却した水は、ペットボトルに保存して置いても一年間は腐りません。Ｔ．７７５）  ６、発信灯を示し、（Ｔ．７８１）、７、人体が水中に没っすると、浮力で発信球が外れ、８、下方に耐水製の器が有り、浮力系が引っ張られると、発信スイッチが入り、発信灯が点灯する事を示している図であったが、発信灯自体も浮力器となるので、９、糸は切れない丈夫な物にすると良い事を示す図となった。１０、海中水没時、アカラー保護衣の襟元が開かない様に留め、１１、アカラー救命具（Ｔ．７８０）とアカラー救命バンド（Ｔ．７８３）とを側面から見た図となったが、１２、メッシュのチョキ型にすると、日焼け止めにも役立ち、１３、人の後頭部下には、必ず、空のペットボトルを付けて置かなければならず、この装備だけ人体に常に付けていれば、急な事故に遭偶し、海中に投ぜられても人は死ぬ事なく、海中に浮いている事が出来る物であったが、（実験済）ペットボトル程、強尽に作られている物は無く、読者は、足で之を踏み付けてみれば分ります。１４、海水上作業時には、図に示す位置の引き出しポケットも必ず使用しなければならない物であった。１５、ボタン押しで点灯。１６、すぐに廃品となる、新品靴購入時付いてくる、靴の中入れ、空気袋等をバンドの中に入れた事を示す。１７、呼子  １８、ファスナー付ポケットの中に空気袋を入れる事の出来る、リストバンド、若しくは、膝当てを示す図（ハクマ、Ｔ．６６０参照）  １９、リストバンド（Ｔ．７８２）  ２０、膝当てバンド（Ｔ．７８４）  ２１、電工縛紐、イン○○ロックが付くと尚良かった。２２、非常食入れリュック。
【図１】
2010260526.tif 000003
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
引き出し型ポケットの内側に、空ペットボトルを装着できる布着袋を縫い（取り）付けた本図に見られる様な救命胴衣（アカラー１号、Ｔ．７８０）を発明する請求。
【請求項２】
本発明、救命胴衣（アカラー１号、Ｔ．７８０）の肩部に、水没時、浮力によって外れ、発信する発信灯（アカラー２号、（Ｔ．７８１）を発明する請求。
【請求項３】
人体、水没時に腕（肘）部を浮かせる目的を持つ、浮き袋を入れる目的を持つファスナーポケット付リストバンド、Ｔ．７８２）を発明し、
【請求項４】
上記述、同意議の元、同内容構造を持たせ、腰部浮力を生じさせる事の出来る救命バンド（アカラー３号、Ｔ．７８３）を発明する請求。
【請求項５】
上記述、同意議の元、同内容構造を持たせ、脚部に取り付ける、脚部取り付けバンド（アカラー４号、Ｔ．７８４）を発明する請求。
【請求項６】
沸騰（１００°〜８０℃）させた水を急速に、４°〜６℃迄冷却させる（永久）無菌保存水をして、保存する容器を発明する請求。（Ｔ．７８５）
【手続補正２】
【補正対象書類名】明細書
【補正対象項目名】全文
【補正方法】変更
【補正の内容】
【発明の詳細な説明】
【技術分野】
【０００１】  近年漁船の沈没、遭難事故（事件）が相次いで目立って、起っていた。人命救助に向う巡視艇、ヘリコプター出動費で、大概３千万円程、かかるが、その上、海上レジャーボートの転腹、釣り人の遭難から、サーフボーダーの遭難………等々と数えれば切りが無いものの、遭難者が海の青色と反対色にある、オレンヂ色にある救命胴衣を必ず着ていてくれれば、何日もの日数をかけて、捜索しなくとも、短時間で、救命、救出来たが、現在の技術にあって、市場にある救命胴衣は、大変に使い勝って、着こなしが悪く、緊急使用時に破捐する物もあった時、荷にもならず、すぐに使用できる所の、【０００２】  チョッキ型にして、本発明される救命胴衣他バンド等にファースナー付ポケットを之に多く付け、ポケットの中に足で踏み付けても壊れない、どこにでもある、ペットボトルの空容器を入れて使用してみた所、いかなる状態にあっても、人体は水上に浮き続ける物となった際１０Ｍの高所飛び込み実験にも耐える大変に使用、使い勝手の良い救命胴衣を作る技術が生じた。【００１３】  この軍隊で開発され、夏暑く、ゴロゴロして、作業時どうしても邪馬になる、救命胴衣から簡易に改良され、簡素化された物も市場に多くある物を身に付けて、海上作業をしていたある日の事であった。クレーンの網が切れて、筆者は、２０Ｍ程も外き飛ばされていた事があった。時速６０ｋｍだったと思われた。その儘海中に叩き付けられた時、救命胴衣の空気袋は、玩具の様に破壊して破れ、７Ｍは海中に没っしたと思われた。鼻から水が入いるといけないと思い、肺の中の空気を全て吐き出したのがいけなかった。海面は遙か頭上に見えるものの、肺の中の空気は空になっており、水上を目指して泳いだが、力尽きて、水中で呼吸したと思った時、海上に顔が出ており、一命を取り止めていた。事故の恐しさを知らないバカ者が、この救命
2010260526.tif 000004
同じ、オレンジ色の破れた救命胴衣が海上に浮いているのを見た事があった。救命胴衣は、機動性があり、常に身体に付け易く、事故発生時、決っして破捐してはいけない物であった。
【図面の簡単な説明】
【００１４】
【図１】  本発明品を、立体図と側面図等から示して見た図であり、今現在、お巡りさんや道路交通整理の人々が必ず着装している丈夫な反射布付素材品で作った保護衣チョッキに多くの（袋状の）ポケットを付け、ポケットの中に空のペットボトル等を入れた場合、救命胴衣となる事を示している。リスト袋バンド、他、発信灯等を示す。
【符号の説明】
【００１５】１．現在、道路交通整理人が必ず身に付けている反射付保護衣を丈夫な素材品で作った物を表わし、２  山、川、海等のいずれの場所で遭難しても、オレンヂ色は発見し易く、今迄に無かった技術において、之に反射を施こした事を表わし  ３．之保護衣（アカラー、Ｔ．７８０）の所定の位置に、ファスナー付ポケットを付け  ４．このポケットの内側には、更に、引き出し型の巾着袋を頑丈にして、縫い付けて置き、５．海上作業をする際には、お茶等の入って空になった（２００ｍｍｌが理想）ペットボトルの蓋をしっかり閉じて、之巾着袋に入れて使用した場合、強尽な本発明される救命胴衣（アカラー１号、Ｔ．７８０）となる物となり、中に少し水を入れておくと、遭難の場合には、非常飲料水（入れ容器）になる物であった。（巷に、水道水を１００℃で沸騰させ、一気に４℃迄冷却した水は、ペットボトルに保存していても一年間は腐りません。Ｔ．７７５）  ６．発信灯を示し、（Ｔ．７８１）  ７．人体が水中に没っすると、浮力で発信球が外れ、８．下方に耐水製の器があり、浮力糸が引っ張られると、発信スイッチが入り、発信灯が点灯する事を示している図とであったが、発信灯自体も浮力器となるので、９．糸は切れない丈夫な物にすると良い事を示す図となった。１０．海中水没時、アカラー保護衣の襟元が開かない様に留め  １１．アカラー救命具（Ｔ．７８０）とアカラー救命バンド（Ｔ．７８３）とを側面から見た図となったが、１２．メッシュのチョッキ型にすると日焼け止めにも役立ち、１３．人の後頭部下には、必ず空のペットボトルを付けて置かなければならず、その他、本図３と、５の位置のポケットの内にも空のペットボトルを付けて置かなければならず、最低この装備だけ人体に付けていれば、急な事件に遭偶し、海中に投ぜられても人は死ぬ事なく、海中に浮いている事が出来る物であったが、（実験済）ペットボトル程、強尽に作られている物は無く、読者は、足で之を踏み付けてみれば分ります。１４．しかし併、実質海水上作業時には、本図に示す全ての位置に示される引き出しポケットにも、空のペットボトルを全て入れて使用しなければならない物であった。１５．ボタン押しで点灯。１６．すぐに廃品となる新品靴購入時付いてくる靴の中入れ、空気袋等をバンドの中に入れた事を示す。１７．呼子  １８．ファースナー付ポケットの中に空気袋を入れる事の出来るリストバンド、若しくは、膝当てを示す図（ハクマ６６０参照）  １９．リストバンド（Ｔ．７８２）  ２０．膝当てバンド（Ｔ．７８４）  ２１．電工縛組、イン○○ロックが付くと尚良かった  ２２．非常食入れリュック。
【背景技術】
【０００３】●アベルレコード（Ｔ．０）●霊界カメラ（Ｔ．２０）●カップルハクマ（Ｔ．６６０）●カンパ（Ｔ．７７５）●プラズム（Ｔ．６７０）
【発明の開示】
【発明が解決しょうとする課題】
【０００４】  小学校の頃、１００Ｍを泳ぎ切り、中学校の頃１０００Ｍを泳ぎ、水泳術は、トップ記録となり、次は、オリンピックを目指したが、チャンスが無く、死ぬ迄にいくつ世界一を達成できるか！未だ諦めてはいなかった。その間、水泳記録マシーン（オルカ、Ｔ．７８５）さへ、研究開発していた。――水泳には、その様にある種の自身があった。
【０００５】  ところが学校授業では、人動物は、どうやって溺れるかに付いては、とんと教えてはくれなかった。本件課題が生じた。筆者は、その後、何度も溺れながら、溺れの原理を本に読み自ずと修得して行った。現代医学の説明は誤りであった。
【発明を解決する手段】
【０００６】  父親に手を引かれ、競馬を見に行った事があった。―――之程迄に走る馬（の体形）は、流線形にあって美しいものであり、怒濤逆巻くゴールで、一歩足らず負け馬となった馬はヒィヒィ泣いていた――テオリーくんも水泳に負けた時、悔やしくて泣いていたが、プールの水が之を隠していた。――馬も泣いているのが分った。
【０００７】  余談だが、親に見離れた牛の泣く素形、アヒルの赤ちゃんが大粒の涙を溢す所、猫、犬のコドモの流く所も見た事があった。
【０００８】  人動物（植物を含む）は、全て、この世に使命を持って生まれ付いているのであり、稼動する、使用を果している時の（体形）素形は、実に美しく、――ここに溺れて死の世界へ沈んでゆく（運命）者のある時には、どうする事も出来ず、ある一線を越えると、そこには、死の世界があり、諦めを以って、それは、大変冷酷でもあった。（Ｔ．０、アベルレコード。Ｔ．２０、霊界カメラ参照）
【０００９】  読者は、人動物の溺れる所を見た事があったであろうか？  ――人動物体の９７％は水分で出来ている物であったが、唯一、人動生物体が水に浮く事の出来る状件は肺に空気が入っている事が必須条件であり、海上等での遭難は、プール等で発生する事故等とのそれとは、明かに違っており、――かのヨットで有名な○○氏でさへ、ヨットに腰かけていて、５〜６分間人々が目を離している間に行方不明となっていた。
【００１０】  人は水泳中、水を飲むと、水が肺に入り込まない様、呼吸中枢がマヒし、息が出来ないものとなるが、間違えて、一端、肺の中に水を吸い込むと、呼吸中枢はマヒせず、水中で、肺や胃の中に水が一杯になる迄、呼吸運動する際、大概の人々は、意識の無い儘、海底等の奥底深く迄、浮上出来なくなり、その儘、沈み続け、捜索を難しいものにさへした。（解賠学編より）―水難者は、必ず浮かせておけば、早期救命救助はし易く、蘇生率も高くなった。――それ故、人は水難時、どの様に水を吸い込んでも、
【発明の効果】
【００１１】  本発明図に見られる様に２００ｍｍｌ入り、ペットボトル容器を最低３本頸部に付帯させておけば、絶対に顔面が水中に没っする事の無いものとなり、意識を失っていても、口鼻部を上に向け、海上に浮いていれば、生理整体作用が起こり、水を吐き出し、救助を待つ事が出来るものとなった。（スキューバーダイビング遊泳中にも有効となります。溺水者の蘇生は２０分以内が目安。）
【発明を実施する最良の形態】
【００１２】  筆者は実際に海上での仕事をやった事があり、海中で溺れがかった事も何度もあった。海上作業をする際、第二次世界大戦以来、発明され、軍隊に用られて来た、あの完壁にして、完成無欠のオレンジ色で作られた、誰しもが一度はお目にかかる救命胴衣を着込んだ日には、ゴロゴロして、移動しにくく、第一に、真夏の炎天下に晒された日には、作業をするどころの騒ぎではなく、漁師を含む、大概の人々は、船上に必ず、この救命胴衣は装備してはいるものの、必しも装着して作業しないでいる時、突発事故が起っていた。
――それ故、